(57)【要約】【課題】ユーザの使用形態に適合した記録媒体供給処理を行い、記録指示を受信してから、手差し供給路からの記録媒体の供給待ち状態が解除されるまでの供給待ち時間と、手差し供給路に記録媒体がセットされてから、記録媒体の供給開始までの供給開始時間とを、不正な値に設定されることを防止することが可能な記録装置及び記録装置の制御方法を提供する。【解決手段】印刷コマンドを受信してから、手差し供給路Ｃからの用紙Ｐ１の供給待ち状態が解除されるまでの供給待ち時間と、手差し供給路Ｃに用紙Ｐ１がセットされてから、用紙Ｐ１の供給開始までの供給開始時間との少なくとも何れか一方を、供給時間設定変更指示に応じて、設定変更する。【選択図】図４
2007331124.tif 000002
【特許請求の範囲】
【請求項１】
手差しによって記録媒体を供給する手差し供給路を備え、記録指示に応じて前記手差し供給路から供給された前記記録媒体に対して記録を行う記録装置であって、
前記記録指示を受信してから、前記手差し供給路からの前記記録媒体の供給待ち状態が解除されるまでの供給待ち時間と、前記手差し供給路に前記記録媒体がセットされてから、前記記録媒体の供給開始までの供給開始時間と、を記憶する供給時間記憶手段と、
供給時間設定変更指示に応じて、前記供給待ち時間と前記供給開始時間との少なくとも何れか一方を設定変更する供給時間設定変更手段と、を有することを特徴とする記録装置。
【請求項２】
前記供給時間設定変更手段は、供給時間設定変更指示によって与えられた前記供給待ち時間が前記供給開始時間よりも大きいかを判断し、
前記供給待ち時間が、前記供給開始時間よりも小さい場合には、前記供給待ち時間と前記供給開始時間とを初期設定時間に設定することを特徴とする請求項１に記載の記録装置。
【請求項３】
手差しによって記録媒体を供給する手差し供給路を備え、記録指示に応じて前記手差し供給路から供給された前記記録媒体に対して記録を行う記録装置の制御方法であって、
前記記録指示を受信してから、前記手差し供給路からの前記記録媒体の供給待ち状態が解除されるまでの供給待ち時間と、前記手差し供給路に前記記録媒体がセットされてから、前記記録媒体の供給開始までの供給開始時間との少なくとも何れか一方を、供給時間設定変更指示に応じて、設定変更することを特徴とする記録装置の制御方法。
【請求項４】
前記供給時間設定変更指示によって与えられた前記供給待ち時間が前記供給開始時間よりも大きいかを判断し、
前記供給待ち時間が、前記供給開始時間よりも小さい場合には、前記供給待ち時間と前記供給開始時間とを初期設定時間に設定することを特徴とする請求項３に記載の記録装置の制御方法。
【発明の詳細な説明】
【技術分野】
【０００１】
本発明は、手差しによって記録媒体を供給する手差し供給路を備え、外部からの記録指示に応じて供給された記録媒体に対して記録を行う記録装置及び記録装置の制御方法に関する。
【背景技術】
【０００２】
プリンタや複写装置等の記録装置には、印刷媒体や複写媒体等の媒体処理部としての印刷ヘッドや複写機構へ搬送するための搬送経路が設けられている。一般に、搬送経路は複数設けられている場合が多く、ピックアップローラによって１枚ずつ自動的に媒体を供給し印刷ヘッドや複写機構へ搬送する自動搬送経路、記録装置の外部から手差しによって媒体を供給し搬送する手差し搬送経路、ロール紙を搬送するロール紙搬送経路等が知られている（特許文献１、２参照）。
【０００３】
ところで、手差し搬送経路を備えたプリンタには、手差しによってプリンタの後方から斜めに挿入された用紙に対して印刷を行うタイプのものがある。図７は、プリンタの後方から斜めに挿入された用紙Ｘに対して印刷を行うタイプのプリンタの搬送路を模式的に示した図である。図７のようなタイプのプリンタにおいては、手差しによって供給された用紙Ｘに印刷を行う場合は次のような処理を実行する。まず、ユーザが手差し給紙トレイ２００から用紙Ｘを挿入すると、用紙検出器２０１の下を用紙Ｘが通過し、搬送ローラ対２０２，２０３に用紙Ｘが接触した状態で止まる。この状態で、印刷データを受信するまで待機し、印刷データを受信すると用紙Ｘは印刷処理部２０４へ搬送され印刷処理が終了すると排出ローラ２０５，２０６，２０７，２０８によって図示せぬ排出トレイへ搬送されるように設定されている。つまり、印刷データを受信したときに手差し給紙トレイ２００に用紙Ｘが載置されていれば、用紙Ｘに対して印刷処理が実行されるようになっている。
【０００４】
このようなタイプのプリンタでは、用紙検出器２０１により用紙が検出された場合は、手差し給紙によって用紙Ｘが供給されたと判断するようになっている。そこで、印刷データを受信してから用紙検出器２０１による用紙検出待ち状態が解除されるまでの給紙待ち時間、用紙Ｘを手差し給紙トレイ２００にセットし、用紙検出器２０１によって用紙Ｘが検出されてから用紙Ｘの給紙を開始するまでの給紙開始時間と、が設定されていることがある。給紙待ち時間と給紙開始時間とを設定することによって、給紙待ち時間を経過すれば表示部に紙なしエラーを表示し、給紙開始時間を経過してから用紙Ｘに印刷処理を実行するようになっている。
【特許文献１】実開平５−４０２４２号公報
【特許文献２】特開２００３−１１２４５７号公報
【発明の開示】
【発明が解決しようとする課題】
【０００５】
ところで、上述した給紙待ち時間及び給紙開始時間とは、プリンタの基本的な制御を行なうためにフラッシュＲＯＭに記憶されたファームウェアの一部として固定的に組み込まれているのが一般的である。したがって、ユーザが使用形態に合わせて給紙待ち時間及び給紙開始時間の設定を変更したい場合でも容易に変更することは困難である。
【０００６】
一方、ユーザが給紙待ち時間及び給紙開始時間を設定変更できるようにしても、誤って不正な値を設定してしまった場合には、用紙検出器による用紙検出を正しく行うことができず、プリンタが正常に動作できなくなってしまう可能性がある。
【０００７】
そこで、本発明の目的は、ユーザの使用形態に適合した記録媒体供給処理を行い、記録指示を受信してから、手差し供給路からの記録媒体の供給待ち状態が解除されるまでの供給待ち時間と、手差し供給路に記録媒体がセットされてから、記録媒体の供給開始までの供給開始時間とを、不正な値に設定されることを防止することが可能な記録装置及び記録装置の制御方法を提供することを目的とする。
【課題を解決するための手段】
【０００８】
上記課題を解決することのできる本発明は、手差しによって記録媒体を供給する手差し供給路を備え、記録指示に応じて前記手差し供給路から供給された前記記録媒体に対して記録を行う記録装置であって、前記記録指示を受信してから、前記手差し供給路からの前記記録媒体の供給待ち状態が解除されるまでの供給待ち時間と、前記手差し供給路に前記記録媒体がセットされてから、前記記録媒体の供給開始までの供給開始時間と、を記憶する供給時間記憶手段と、供給時間設定変更指示に応じて、前記供給待ち時間と前記供給開始時間との少なくとも何れか一方を設定変更する供給時間設定変更手段と、を有することを特徴とする。
また、上記課題を解決することのできる本発明は、手差しによって記録媒体を供給する手差し供給路を備え、記録指示に応じて前記手差し供給路から供給された前記記録媒体に対して記録を行う記録装置の制御方法であって、前記記録指示を受信してから、前記手差し供給路からの前記記録媒体の供給待ち状態が解除されるまでの供給待ち時間と、前記手差し供給路に前記記録媒体がセットされてから、前記記録媒体の供給開始までの供給開始時間との少なくとも何れか一方を、供給時間設定変更指示に応じて、設定変更することを特徴とする。
【０００９】
このような構成によれば、供給待ち時間と供給開始時間とを設定変更することができるので、固定的に設定されていた供給待ち時間と供給開始時間とを、供給時間設定変更指示に応じた設定時間に変更することが可能である。したがって、記録装置をユーザの使用形態に適合した供給待ち時間と供給開始時間と設定することができる。
【００１０】
また、本発明において、前記供給時間設定変更手段は、供給時間設定変更指示によって与えられた前記供給待ち時間が前記供給開始時間よりも大きいかを判断し、前記供給待ち時間が、前記供給開始時間よりも小さい場合には、前記供給待ち時間と前記供給開始時間とを初期設定時間に設定することが好ましい。
また、本発明において、前記供給時間設定変更指示によって与えられた前記供給待ち時間が前記供給開始時間よりも大きいかを判断し、前記供給待ち時間が、前記供給開始時間よりも小さい場合には、前記供給待ち時間と前記供給開始時間とを初期設定時間に設定することが好ましい。
【００１１】
このような構成によれば、供給時間設定変更指示によって与えられた供給待ち時間が供給開始時間よりも小さい場合には、初期設定時間に設定するので、例えば、ユーザの供給時間設定変更指示によって不正な値が与えられた場合でも、自動的に初期設定時間を設定するので、記録装置が予期せぬ動作を行うことがなく、どのような設定値を与えられても正しい動作を行うことが可能である。
【発明の効果】
【００１２】
本発明によれば、供給待ち時間と供給開始時間とを設定変更することができるので、固定的に設定されていた供給待ち時間と供給開始時間とを、供給時間設定変更指示に応じた設定時間に変更することが可能である。したがって、ユーザの使用形態に適合した記録媒体供給処理を行う記録装置及び記録装置の制御方法を提供することが可能である。
【発明を実施するための最良の形態】
【００１３】
以下、本発明に係る記録装置及び記録装置の制御方法の実施形態について、図面を参照しつつ詳細に説明する。
図１は本発明に係る記録装置の一実施の形態であるインクジェット式プリンタの外観斜視図、図２は図１に示したプリンタ内部の用紙搬送経路の概略構成を示す縦断面図、図３はプリンタの制御系を示した機能ブロック図である。
【００１４】
（プリンタの機械的構成）
本発明に係る記録装置の一実施の形態であるプリンタ１は、フロント給・排紙タイプの業務用のインクジェット式プリンタであり、図１に示すように、下部ケース２と上部ケース３とから構成される装置ケース４の前面中央に、記録媒体である用紙を装填した媒体収容部である略箱形の用紙カセット５が着脱自在に挿着されている。
【００１５】
また、用紙カセット５の上面開放部を覆うように、印刷が終了した用紙を受ける排紙トレイ６が設けられている。また、装置ケース４の前面の両側には、動作状態を表示する表示部７や操作部８が設けられている。さらに、操作部８の近傍にはフィードボタン１０が設けられており、紙ジャム等によってプリンタ１の内の用紙搬送路に紙詰まりが生じ、詰まった用紙を一度取り除いた場合でも、このフィードボタン１０を押すことによって用紙カセット５から強制的に搬送路内に用紙を繰り出すことができるようになっている。
【００１６】
装置ケース４内には、図２に示すように、円弧状供給路Ａ及びこの円弧状供給路Ａから排紙トレイ６へ繋がる直線状搬送経路Ｂを形成する紙搬送装置１１を備えており、用紙カセット５と円弧状供給路Ａと直線状搬送経路Ｂと排紙トレイ６とによって、用紙カセット５から繰り出された用紙Ｐを処理した後に前面の排紙トレイ６に戻すＵ字状搬送経路が形成されている。
【００１７】
紙搬送装置１１は、ＡＳＦ（オートシートフィーダ）部とＰＦ（ペーパフィーダ）部とを有している。
ＡＳＦ部は、用紙カセット５に収容されている用紙Ｐを一枚ずつ装置後方に繰り出す用紙繰り出し機構２２と、この用紙繰り出し機構２２が繰り出した用紙Ｐを円弧状供給路Ａに沿って搬送する円弧状搬送部を形成する中間ローラ３１及びガイド部３４等から構成されている。
ＰＦ部は、円弧状搬送部から搬送されてきた用紙Ｐを挟持して印刷処理部４３のプラテン面上に送る第１搬送手段と、印刷処理部４３を通過した用紙Ｐをその下流の排紙トレイ６に挟持して搬送する第２搬送手段５５とを備えている。
【００１８】
ＡＳＦ部の用紙繰り出し機構２２は、図２に示したように、先端に繰り出し用のピックアップローラ２１を備えたフレーム２５の後端が支持ピン２４によって図中上下方向に回動可能に構成されている。この用紙繰り出し機構２２は、フレーム２５の上下方向の揺動により、用紙Ｐカセット５内の最上部の用紙Ｐに対してピックアップローラ２１を接触させることが可能である。用紙繰り出し機構２２は、当該プリンタ１の休止時には図２に実線で示すようにフレーム２５が水平に維持されて、ピックアップローラ２１が用紙Ｐカセット５上の用紙Ｐから離れた状態に保たれる。
【００１９】
そして、給紙時には、支持ピン２４を中心とするフレーム２５の下方への回動によって、図２に二点鎖線で示すように、ピックアップローラ２１が用紙カセット５上の用紙Ｐに押し付けられ、ピックアップローラ２１の回転によって用紙カセット５上の用紙Ｐが傾斜した摩擦パッド２３に当接して、その摩擦力と用紙Ｐのこしの強さによって分離されながら、一枚ずつ中間ローラ３１とガイド部３４の間に繰り出される。給紙が済んで、印刷処理部４３によって印刷が開始される時には、図２に実線で示したように、フレーム２５は元の水平状態に戻される。
【００２０】
円弧状供給路Ａは、図２に示すように、円弧状供給路Ａの外側（プリンタ１の背面側）に設けられ略円弧状に湾曲したガイド面を有するガイド部３４と、円弧状供給路Ａの内側（プリンタ１の前面側）に設けられガイド部３４の下方から上方に向かって用紙Ｐを送る中間ローラ３１とを備えた構成である。また、ガイド部３４には、下方側に設けられたリタードローラ３２と、上方側に配置されたアシストローラ３３とが設けられている。そして、ピックアップローラ２１によって送り出された用紙Ｐは、中間ローラ３１とリタードローラ３２とによって挟持されて搬送され、さらに中間ローラ３１とアシストローラ３３とによって挟持されて搬送される。これにより、用紙Ｐは、中間ローラ３１とガイド部３４との間隙として形成された円弧状供給路Ａに沿って搬送され、その先端部がプリンタ前面側に向けられてＵ字状搬送経路を構成する直線状搬送経路Ｂに送り出される。
【００２１】
また、中間ローラ３１の上方には、補助ガイド部材３５を備えている。この補助ガイド部材３５は、ガイド部３４に対して後端側が回動可能に支持され、先端側が移動されるようになっている。この補助ガイド部材３５は、円弧状供給路Ａから直線状搬送経路Ｂへ搬送される用紙Ｐを、その上方側から自重により押さえて、用紙Ｐを直線状搬送経路Ｂに沿ってプリンタ１の前方側に案内する。
【００２２】
ＰＦ部の第１搬送手段は、図２に示したように、紙送りローラ対４１，４２により構成されている。紙送りローラ対４１，４２は、円弧状供給路Ａの出口端（ガイド部３４の下流側端部）から装置前面側に所定距離離れた位置に設けられており、円弧状供給路Ａから直線状搬送経路Ｂに送り出されてきた用紙Ｐを挟持して印刷位置である印刷処理部４３の下に搬送する。そして、回転駆動量を制御することにより、用紙Ｐを印刷処理部４３に対して位置決めすることが可能である。
【００２３】
さらに、プリンタ１は、装置ケース４の後方側における上部に、後方給紙部３０を備えており、この後方給紙部３０によって後方側からの手差し給紙が可能とされている。この後方給紙部３０は、円弧状供給路Ａとは別の手差し供給路Ｃから給紙されてきた用紙を直線状搬送経路Ｂへ送り込むものである。後方給紙部３０から手差し給紙を行うと、その用紙Ｐ１の先端は、紙送りローラ対４１，４２に接触する位置まで到達する。
【００２４】
このように、本実施形態のプリンタ１は、用紙カセット５からＡＳＦ部によって一枚ずつ自動供給された用紙Ｐを円弧状供給路Ａから直線状搬送経路Ｂへ搬送する自動搬送経路と、後方給紙部３０から一枚ずつ手差し給紙によって手差し供給路Ｃから直線状搬送経路Ｂへ搬送する手差し搬送経路との２つの搬送経路を備えた構成となっている。すなわち、直線状搬送経路Ｂは自動搬送経路と手差し搬送経路とで共通の搬送経路として構成されている。
【００２５】
そして、円弧状供給路Ａ及び手差し供給路Ｃの出口端、つまり直線状搬送経路Ｂの入口端には、用紙の有無を検出する媒体検出器としての用紙検出器（以下、ＰＥ検出器という。）６２が設けられている。また、ＰＥ検出器６２は、直線状搬送経路Ｂ内であって手差し供給路Ｃから供給された用紙を検出可能な位置に配置されている。
【００２６】
このように円弧状供給路Ａと手差し供給路ＣとでＰＥ検出器６２を兼用することによって、それぞれの経路ごとに専用の検出器を設ける必要がないので、プリンタ１の部品点数を減らしコストを下げることができるとともに、プリンタ１の省スペース設計が可能である。
【００２７】
処理部としての印刷処理部４３は、印刷ヘッド４４を有するキャリッジ４５を備えており、このキャリッジ４５は、送り込まれた用紙Ｐあるいは用紙Ｐ１に対してその幅方向へ移動可能に支持されている。この印刷ヘッド４４は、図２に示すように、用紙に向かってインク滴を吐出させる吐出ノズル４６を有しており、この吐出ノズル４６に対して、プリンタ１の前方側には、用紙を検出するとともに、その幅を検出する用紙幅検出器（以下、ＰＷ検出器という。）４７が設けられている。
【００２８】
（プリンタ１の内部構成）
次に、図３を参照してプリンタ１の制御系が行う内部処理について説明する。図３は、プリンタ１の制御系を示した機能ブロック図である。
図３に示すように、プリンタ１内には、ホストコンピュータ１００から送信される処理データに含まれる各種コマンドやデータを受信する受信部８５が設けられている。受信部８５が受信した各種コマンドやデータは、コマンド解析部８８によって解析され、印刷データの場合には、データ変換されて、イメージ展開部８９によって印刷ヘッド４４のノズル列に対応したドットパターンデータが生成される。また、制御コマンドの場合は後述する状態管理部９０によって読み出されて、制御コマンドに応じた処理が実行される。
【００２９】
状態管理部９０は、制御コマンドを読み出し、各種制御コマンドに応じた処理を行う。例えば、動作処理部９１へ指示を出し、検出器処理部９２を介して受信したＰＥ検出器６２からの検出信号を解析する。また、動作処理部９１を介して、印刷処理部４３、ＡＳＦ部やＰＦ部等のプリンタ１の各種機構部の駆動を制御する。
【００３０】
検出器処理部９２は、状態管理部９０からの指示に応じてＰＥ検出器６２、ＰＷ検出器の動作を制御し、検出信号を動作処理部９１を介して状態管理部９０へ通知する。動作処理部９１は、状態管理部９０のからの指示に応じて各種機構部に動作指示を行う。
【００３１】
供給時間設定変更部９４は、ホストコンピュータ１００のプリンタドライバで設定した供給時間設定変更指示に基づき、プリンタ１の「供給待ち時間」及び「供給開始時間」の少なくとも何れか一方を設定変更する。また、供給時間設定変更指示によって与えられた「供給待ち時間」、「供給開始時間」が不正値であるかを判断し、不正値であればプリンタ１の初期設定値を設定するように設定されている。
【００３２】
ここで、「供給待ち時間」とは、ホストコンピュータ１００から手差し供給による印刷コマンドを受信してから、手差し供給路Ｃからの用紙Ｐ１の供給待ち状態が解除されるまでの時間である。「供給待ち時間」を設定することによって、状態管理部９０は、印刷データを受信すると、ＰＥ検出器６２によって用紙Ｐ１が検出されたかを監視し、印刷データを受信してから「供給待ち時間」を経過しても用紙Ｐ１を検出しない場合には、動作処理部９１を介して紙無しエラーを表示部７に表示させることができる。
また、「供給開始時間」は、後方給紙部３０に用紙Ｐ１がセットされてから、手差し供給路Ｃによる用紙Ｐ１の供給開始までの時間である。すなわち、ＰＥ検出器６２によって用紙Ｐ１が検出されてから手差し供給路Ｃによる印刷処理部４３への用紙供給開始までの時間である。これらの値は、プリンタ１の工場出荷時には不揮発性の記憶部である供給時間記憶部９５に初期設定値として記憶されている。ユーザによって適正な値を含む供給時間設定変更指示が与えられると、供給時間設定変更部９４が、工場出荷時の初期設定値を新たに与えられた「供給開始時間」「供給待ち時間」へ設定変更するようになっている。具体的な供給時間設定変更処理については後ほど説明する。
【００３３】
（供給時間設定変更処理について）
次に、「供給開始時間」「供給待ち時間」の設定変更処理について説明する。図４はプリンタ１が行う供給時間設定変更処理を説明するフローチャートである。なお、本実施形態のプリンタ１は、ユーザが後方給紙部３０から用紙Ｐ１を挿入すると、用紙Ｐ１はＰＥ検出器６２の下を通過し、図２に示すように紙送りローラ対４１，４２に用紙Ｐ１の端部が接触した状態で止まるように設定されている。したがって、ホストコンピュータ１００から印刷データを受信したときにＰＥ検出器６２が用紙有りを検出した場合には、原則として検出された用紙は後方給紙部３０から供給された用紙Ｐ１であると認識する。
【００３４】
なお、本実施形態では、工場出荷時にプリンタ１に設定されている初期設定値を「初期供給開始時間：Ａ」，「初期供給待ち時間：Ｂ」とし、供給時間設定変更指示で与えられた新たな設定値を「供給開始時間：Ａ’」「供給待ち時間：Ｂ’」として説明する。
【００３５】
まず、「初期供給開始時間：Ａ」を「供給開始時間：Ａ’」に設定変更する場合について説明する。プリンタ１は、ホストコンピュータ１００のプリンタドラバを介して供給時間設定変更指示を受信すると（ステップＳ１１：Ｙｅｓ）、供給時間設定変更部９４は、与えられた「供給開始時間：Ａ’」が「０」であるかを判断する。「０」ではないと判断すると（ステップＳ１２：Ｎｏ）、続けて「供給開始時間：Ａ’」が「初期供給待ち時間：Ｂ」よりも大きいかを判断する。「供給開始時間：Ａ’」が「初期供給待ち時間：Ｂ」よりも小さいと判断すると（ステップＳ１３：Ｎｏ）、「初期供給開始時間：Ａ」を「供給開始時間：Ａ’」に設定変更する（ステップＳ１４）。
【００３６】
一方、ステップＳ１２で「供給開始時間：Ａ’」が「０」であると判断した場合、あるいはステップＳ１３で「供給開始時間：Ａ’」が「初期供給待ち時間：Ｂ」よりも大きいと判断した場合には、与えられた「供給開始時間：Ａ’」へ設定変更することなく、再びデフォルト値、すなわち「初期供給開始時間：Ａ」を設定する（ステップＳ１５）。
【００３７】
すなわち、「供給開始時間：Ａ’」が「０」である場合、「供給開始時間：Ａ’」が「初期供給待ち時間：Ｂ」よりも大きい場合は、供給時間設定変更指示によって不正な値が与えられたと認識し、自動的に再度デフォルト値を設定するように設定されている。例えば「供給開始時間：Ａ’＝２０[ｓ]」が与えられ、「初期供給待ち時間：Ｂ＝１０[ｓ]」であった場合に、そのまま「供給開始時間：Ａ’＝２０[ｓ]」が設定されてしまうと、用紙Ｐ１の供給開始時間が終了する前に表示部７に紙無しエラーが表示されてしまう等、プリンタ１が予期せぬ動作を実行することになる。したがって、不正な値が与えられた場合には、自動的にデフォルト値に設定するようにしておけば、ユーザが不正な値を与えても、その後にプリンタ１が予期せぬ動作を実行することがない。
【００３８】
次に、図５を参照して「初期供給待ち時間：Ｂ」を「供給待ち時間：Ｂ’」に設定変更する場合について説明する。プリンタ１は、ホストコンピュータ１００のプリンタドラバを介して供給時間設定変更指示を受信すると（ステップＳ２１：Ｙｅｓ）、供給時間設定変更部９４は、与えられた「供給待ち時間：Ｂ’」が「０」であるかを判断する。「０」ではないと判断すると（ステップＳ２２：Ｎｏ）、「初期供給開始時間：Ａ」が「供給待ち時間：Ｂ’」よりも大きいかを判断する。「初期供給開始時間：Ａ」が「供給待ち時間：Ｂ’」よりも小さいと判断すると（ステップＳ２３：Ｎｏ）、「初期供給待ち時間：Ｂ」を「供給待ち時間：Ｂ’」に設定変更する（ステップＳ２４）。
【００３９】
一方、ステップＳ２２で「供給待ち時間：Ｂ’」が「０」であると判断した場合、あるいはステップＳ２３で「初期供給開始時間：Ａ」が「供給待ち時間：Ｂ’」よりも大きいと判断した場合には、与えられた「供給待ち時間：Ｂ’」へ設定変更することなく、再びデフォルト値、すなわち「初期供給待ち時間：Ｂ」を設定する（ステップＳ２５）。
【００４０】
すなわち、「供給待ち時間：Ｂ’」が「０」である場合、「初期供給開始時間：Ａ」が「供給待ち時間：Ｂ’」よりも大きい場合は、供給時間設定変更指示によって不正な値が与えられたと認識し、自動的に再度デフォルト値を設定するように設定されている。例えば「供給待ち時間：Ｂ’＝１０[ｓ]」が与えられ、「初期供給開始時間：Ａ＝２０[ｓ]」であった場合に、そのまま「供給待ち時間：Ｂ’＝１０[ｓ]」が設定されてしまうと、用紙Ｐ１の供給開始時間が終了する前に表示部７に紙無しエラーが表示されてしまう等、プリンタ１が予期せぬ動作を実行することになる。したがって、不正な値が与えられた場合には、自動的にデフォルト値に設定するようにしておけば、ユーザが不正な値を与えても、その後にプリンタ１が予期せぬ動作を実行することがない。
【００４１】
次に、図６を参照して「初期供給開始時間：Ａ」を「供給開始時間：Ａ’」に、「初期供給待ち時間：Ｂ」を「供給待ち時間：Ｂ’」に設定変更する場合について説明する。プリンタ１は、ホストコンピュータ１００のプリンタドラバを介して供給時間設定変更指示を受信すると（ステップＳ３１：Ｙｅｓ）、供給時間設定変更部９４は、与えられた「供給開始時間：Ａ’」及び「供給待ち時間：Ｂ’」が「０」であるかを判断する。「０」ではないと判断すると（ステップＳ３２：Ｎｏ）、「供給開始時間：Ａ’」が「供給待ち時間：Ｂ’」よりも大きいかを判断する。「供給開始時間：Ａ’」が「供給待ち時間：Ｂ’」よりも小さいと判断すると（ステップＳ３３：Ｎｏ）、「初期供給開始時間：Ａ」を「供給開始時間：Ａ’」に、「初期供給待ち時間：Ｂ」を「供給待ち時間：Ｂ’」に設定変更する（ステップＳ３４）。
【００４２】
一方、ステップＳ３２で「供給開始時間：Ａ’」及び「供給待ち時間：Ｂ’」の少なくとも何れかが「０」であると判断した場合、あるいはステップＳ３３で「供給開始時間：Ａ’」が「供給待ち時間：Ｂ’」よりも大きいと判断した場合には、与えられた「供給開始時間：Ａ’」及び「供給待ち時間：Ｂ’」へ設定変更することなく、再びデフォルト値、すなわち「初期供給開始時間：Ａ」「初期供給待ち時間：Ｂ」を設定する（ステップＳ３５）。
【００４３】
すなわち、「供給開始時間：Ａ’」及び「供給待ち時間：Ｂ’」の少なくとも何れかが「０」である場合、「供給開始時間：Ａ’」が「供給待ち時間：Ｂ’」よりも大きい場合は、供給時間設定変更指示によって不正な値が与えられたと認識し、自動的に再度デフォルト値を設定するように設定されている。例えば「供給開始時間：Ａ’＝２０[ｓ]」「供給待ち時間：Ｂ’＝１０[ｓ]」が与えられた場合に、そのまま設定されてしまうと、用紙Ｐ１の供給開始時間が終了する前に表示部７に紙無しエラーが表示されてしまう等、プリンタ１が予期せぬ動作を実行することになる。したがって、不正な値が与えられた場合には、自動的にデフォルト値に設定するようにしておけば、ユーザが不正な値を与えても、その後にプリンタ１が予期せぬ動作を実行することがない。
【００４４】
このように、本実施形態によれば、プリンタ１に設定されている「初期供給待ち時間：Ａ」及び「初期供給開始時間：Ｂ」の少なくとも何れか一方を設定変更することができるので、工場出荷時に固定的に設定されていた「初期供給待ち時間」と「初期供給開始時間」とを、ホストコンピュータ１００からの供給時間設定変更指示に応じた設定時間に変更することが可能である。したがって、プリンタ１をユーザの使用形態に適合した「供給待ち時間」と「供給開始時間」とに設定することができる。
【図面の簡単な説明】
【００４５】
【図１】本発明に係る記録装置の一実施形態であるインクジェット式プリンタの外観斜視図である。
【図２】本実施形態のプリンタ内部の用紙搬送経路の概略構成を示す縦断面図である。
【図３】本実施形態のプリンタの内部処理を示した機能ブロック図である。
【図４】本実施形態のプリンタが行う供給時間設定変更処理を説明するフローチャートである。
【図５】本実施形態のプリンタが行う他の供給時間設定変更処理を説明するフローチャートである。
【図６】本実施形態のプリンタが行う他の供給時間設定変更処理を説明するフローチャートである。
【図７】後方から斜めに挿入された用紙に対して印刷を行う従来のプリンタの搬送路を模式的に示した図である。
【符号の説明】
【００４６】
１：プリンタ（記録装置）、５：用紙カセット、１０：フィードボタン、６２：ＰＥ検出器、９０：状態管理部、９２：検出器処理部、９４：供給時間設定変更部、９５：供給時間記憶部、Ｐ，Ｐ１：用紙（記録媒体）
【図１】
2007331124.tif 000003
【図２】
2007331124.tif 000004
【図３】
2007331124.tif 000005
【図４】
2007331124.tif 000006
【図５】
2007331124.tif 000007
【図６】
2007331124.tif 000008
【図７】
2007331124.tif 000009